(57)【要約】【課題】蓄光層及び／又は蛍光層を備えることで大掛かりな装置を用いることなしに、見る角度の変化に伴い、発する光が微妙に色や輝度を変化させてキラキラと煌めいているように見え、これにより高級感や優雅な感じを醸し出すことができるアクセサリを提供する。【解決手段】基板と、前記基板上に直接的又は間接的に備えられる蓄光層及び／又は蛍光層であって、異なる発光色の小領域に分割された蓄光層及び／又は蛍光層と、前記蓄光層及び／又は蛍光層上に直接的又は間接的に配置される光屈折ブロック体とからなることを特徴とするアクセサリを提供する。【選択図】図１
2017086334.tif 000002
【特許請求の範囲】
【請求項１】
基板と、
前記基板上に直接的又は間接的に備えられる蓄光層及び／又は蛍光層であって、異なる発光色の小領域に
分割された蓄光層及び／又は蛍光層と、
前記蓄光層及び／又は蛍光層上に直接的又は間接的に配置される光屈折ブロック体と、
からなることを特徴とするアクセサリ。
【請求項２】
前記蓄光層及び／又は蛍光層の複数の小領域は、少なくとも互いに隣接する小領域どうしが異なる傾斜を有する傾斜面で構成され、
見る角度によって見える斜面と見えない斜面が変化することで発光色が変化して見えるように構成されていることを特徴とする請求項１に記載のアクセサリ。
【請求項３】
前記光屈折ブロック体は、前記基板上に立設された回転軸に設置され、前記蓄光層及び／又は蛍光層に対して相対的に回転自在に構成されていることを特徴とする請求項１又は２に記載のアクセサリ。
【請求項４】
前記光屈折ブロック体は、多面体カット構造を有することを特徴とする請求項１から３のいずれか一に記載のアクセサリ。
【請求項５】
前記蓄光層及び／又は蛍光層と光屈折ブロック体とは、前記基板の両面に配置されている請求項１から４のいずれか一に記載のアクセサリ。
【発明の詳細な説明】
【技術分野】
【０００１】
本発明は、及び／又は蛍光層並びに光屈折ブロック体を備えるアクセサリに関する。
【背景技術】
【０００２】
装身具などのアクセサリの分野において、蓄光層を備え暗闇でも明るく発光することができるようにしたアクセサリが知られている。例えば、特許文献１には、台座に蓄光シールを貼り付けて蓄光層を形成し、その上に透光性のある宝石を固定することにより、暗闇でも光らせることができる装身具が開示されている（特許文献１参照）。
なお、蓄光層を備えるものではないが、特許文献２には、表面にブリリアントカット面を形成したガラスなどの透明基材の裏面に光透過性を有する再帰反射シートを設け、シートの裏面側からＬＥＤ光源などによってシートを照らすことができるようにした装飾体が開示されている。同文献によれば、この発明の効果として、ＬＥＤ光源などからシートを介して透明基材の表面側に透過する光と、透明基材の表面側から入射して再帰反射シートで反射して再び透明基材の表面側から出射される光とが相まって、遊色効果（虹のような多色が現れる効果）及び見る角度による色の変化の効果を得ることができるとされている（特許文献２参照）。
【先行技術文献】
【特許文献】
【０００３】
【特許文献１】特開２００４−１１３８３０号公報
【特許文献２】特開２０１１−１０４９７４号公報
【発明の概要】
【発明が解決しようとする課題】
【０００４】
このようなアクセサリにおいては、単に発光によって暗闇でも視認することができるにとどまらず、アクセサリから発せられる光が微妙に色や輝度を変化させてキラキラと煌めいているように見えることが望ましく、これにより高級感や優雅な感じを醸し出すことができる。
【０００５】
この点、特許文献１に記載された装身具は、単に蓄光特性のあるシールの上に透光性のある宝石を固定し、シールから宝石を介して光が発せられることであたかも宝石が発光しているように見えるというものにすぎず、見る角度によって発する光が微妙に色や輝度を変化させてキラキラと煌めいているように見えるようにしたものではない。
【０００６】
一方、特許文献２に記載された装飾体は、ブリリアントカット面を形成したガラス等の透明基材の裏面側からＬＥＤ光源などの光を透過させている点で、見る角度によって色が変化して見えるという効果を奏するものである。しかし、そのためには、大掛かりなＬＥＤ装置等の装着が必要となり、アクセサリ（特に、小さな指環、ネックレス、キーホルダーなど）には全く適さないものである。
【０００７】
このように、従来、暗闇でも視認することができ、しかも大掛かりな装置なしにアクセサリから発せられる光が微妙に色や輝度を変化させてキラキラと煌めいているように見えるようにして高級感や優雅な感じを醸し出すことができるものがないという課題があった。また、昼光下や薄暗がりにおいても、大掛かりな装置なしにアクセサリを発光させることができ、しかもアクセサリから発せられる光が微妙に色や輝度を変化させてキラキラと煌めいているように見えるようにすることができれば、やはり高級感や優雅な感じを醸し出すことができる。しかし、このようなものもこれまで存在していなかった。
【０００８】
本発明は、以上の課題に鑑みたものであり、その解決すべき課題は、蓄光層及び／又は蛍光層を備えることで大掛かりな装置を用いることなしに、見る角度の変化に伴い、発する光が微妙に色や輝度を変化させてキラキラと煌めいているように見え、これにより高級感や優雅な感じを醸し出すことができるアクセサリを提供することにある。
【課題を解決するための手段】
【０００９】
以上の課題を解決するため、本発明のうち、第一の発明は、基板と、前記基板上に直接的又は間接的に備えられる蓄光層及び／又は蛍光層であって、異なる発光色の小領域に分割された蓄光層及び／又は蛍光層と、前記蓄光層及び／又は蛍光層上に直接的又は間接的に配置される光屈折ブロック体とからなることを特徴とするアクセサリを提供する。
【００１０】
また、第二の発明は、第一の発明を基礎として、前記蓄光層及び／又は蛍光層の複数の小領域は、少なくとも互いに隣接する小領域どうしが異なる傾斜を有する傾斜面で構成され、見る角度によって見える斜面と見えない斜面が変化することで発光色が変化して見えるように構成されていることを特徴とするアクセサリを提供する。
【００１１】
また、第三の発明は、第一又は第二の発明を基礎として、前記光屈折ブロック体は、前記基板上に立設された回転軸に設置され、前記蓄光層及び／又は蛍光層に対して相対的に回転自在に構成されていることを特徴とするアクセサリを提供する。
【００１２】
また、第四の発明は、第一から第三のいずれか一の発明を基礎として、前記光屈折ブロック体は、多面体カット構造を有することを特徴とするアクセサリを提供する。
【００１３】
また、第五の発明は、第一から第四のいずれか一の発明を基礎として、前記蓄光層及び／又は蛍光層と光屈折ブロック体とは、前記基板の両面に配置されているアクセサリを提供する。
【発明の効果】
【００１４】
本発明によれば、蓄光層及び／又は蛍光層を備えることで、大掛かりな装置を用いることなしに、見る角度の変化に伴い、発する光が微妙に色や輝度を変化させてキラキラと煌めいているように見え、これにより高級感や優雅な感じを醸し出すことができるアクセサリを提供することが可能となる。
【図面の簡単な説明】
【００１５】
【図１】実施例１のアクセサリの構成の一例を示す図
【図２】実施例１のアクセサリにおける蓄光層の構成の一例を示す図
【図３】実施例１のアクセサリの構成の一例を示す図
【図４】蓄光層と光屈折ブロック体の構成による相乗効果について説明するため図
【図５】実施例２のアクセサリにおける蓄光層の構成の一例を示す図
【図６】実施例３のアクセサリにおける光屈折ブロック体の構成の一例を示す図
【図７】実施例４のアクセサリの構成の一例を示す図
【図８】実施例５のアクセサリの構成の一例を示す図
【符号の説明】
【００１６】
０１００    アクセサリ
０１０１    基板
０１０２    蓄光層
０１０３    光屈折ブロック体
０２０２ａ〜０２０２ｈ  蓄光層の小領域
０６０５    回転軸
【発明を実施するための形態】
【００１７】
以下に、本発明の実施例を説明する。実施例と請求項の相互の関係は以下のとおりである。実施例１は主に請求項１などに関し、実施例２は主に請求項２などに関し、実施例３は主に請求項３などに関し、実施例４は主に請求項４などに関し、実施例５は主に請求項５などに関する。なお、本発明はこれら実施例に何ら限定されるものではなく、その要旨を逸脱しない範囲において、種々なる態様で実施しうる。
【実施例１】
【００１８】
＜概要＞
本実施例のアクセサリは、基板と、当該基板上に備えられる蓄光層及び／又は蛍光層と、当該蓄光層及び／又は蛍光層上に配置される光屈折ブロック体とからなる。また、当該蓄光層及び／又は蛍光層は、異なる発光色の小領域に分割されている。本実施例のアクセサリは、このような構成によって、見る角度の変化に伴い、発する光が色や輝度を変化させて煌めいているように見えるようにしたものである。
【００１９】
＜構成＞
（全般）
図１は、本実施例のアクセサリの構成の一例を示す図である。このうち、図１（ａ）はアクセサリの外観の一例を示す斜視図である。本図は、アクセサリとして例えばペンダントを想定したものである（ただし、台座となる基板における鎖との結合部分の形状等は捨象して描いた）。本図に示したように、本実施例のアクセサリ０１００は、基板０１０１上に備えられる蓄光層０１０２と、さらに当該蓄光層上に備えられる光屈折ブロック体０１０３とからなる。本発明の対象となるアクセサリは、例えばペンダント、ブローチ、ネックレス、指環、ブレスレット、イヤリング等の装身具や、キーホルダー、携帯ストラップ等の身の回り品に取り付ける装飾品などを含む。なお、本図では蓄光層のみが備えられている例を示したが、本実施例のアクセサリは、蓄光層に代えて蛍光層を備えていてもよいし、蓄光層と蛍光層の両者を備えていてもよい。以下、蓄光層のみを備える例で説明するが、この説明は、蛍光層のみを備える場合、及び蓄光層と蛍光層の両者を備える場合のすべてに共通するものである（他の実施例においても同様である）。
【００２０】
図１（ｂ）は（ａ）のＸ−Ｘ線断面図である。本図には、基板０１０１上に蓄光層０１０２が備えられ、さらに当該蓄光層上に光屈折ブロック体０１０３が配置されている状態が示されている。以下、これら各構成について順次説明する。
【００２１】
（基板）
基板は、蓄光層及び光屈折ブロック体をその上に固定させる役目を有する板状の部材であり、アクセサリにおける台座の役目も有するものである。なお、本発明においては、蓄光層から見て基板側の方向（図１（ｂ）に示す矢印Ｙ方向）を下、その逆の方向を上とし、本明細書においてもそのような前提で説明する。基板の素材はその上に蓄光層及び光屈折ブロック体を固定できるものであれば特に限定はないが、例えば金属、セラミック、樹脂などが用いられる。金属の例としては、ステンレス、アルミニウム、プラチナ、金、銀や合金などが挙げられる。基板の形状にも特に限定はなく、アクセサリのデザインの一環として、略円形状、略多角形状のものや、具象をデザインしたもの（例えば花びらの形）など様々なものが考えられる。また、基板は、平面状のものに限らず、曲面状のものであってもよい。さらに、基板は、複数の異なる平面や複数の異なる曲面、あるいは複数の異なる平面及び曲面を有するものであってもよい。
【００２２】
（蓄光層）
蓄光層は、蓄光材料を層状に形成したものである。蓄光材料は、光エネルギーを蓄え、蓄えた光エネルギーを徐々に光として放出する性質を有する材料であり、例えば、アルミン酸ストロンチウム系のものや硫化亜鉛系のものが挙げられる。特に、本実施例のアクセサリに備えられる蓄光層は、後に詳しく説明するように、異なる発光色の小領域に分割されるものであることから、蓄光材料として、発光色が異なる複数のものが用いられる。蓄光層の形状には特に限定はなく、略円形状、略多角形状のものや、具象をデザインしたものなど様々なものが考えられる点や平面状のものに限らず曲面状のものであってもよい点、さらには複数の異なる平面、曲面あるいはこれらの組合せを有するものであってもよい点は、基板の場合と同様である。多くの場合は蓄光層の形状は基板の形状に合わせたものとなろう。蛍光層を備える場合は、当該蛍光層は昼光下や薄暗がりで発光するほか、ブラックライトの照射によりほぼ暗闇の状態で発光することも可能である。
【００２３】
発光色が異なる蓄光材料に関しては、例えば、特開２０１１−１８９５５８号公報に、硫化亜鉛の結晶に少量の銅を賦活剤として加えた蓄光材料（発光色は、その組成によって黄〜赤色）、硫化亜鉛に少量の銅を賦活剤として加えた蓄光材料（発光色は緑色）、アルミン酸塩に賦活剤としてユーロピウムを加えたり共賦活剤として希土類元素又は遷移金属を加えたりした蓄光材料（発光色は緑色又は青色）が開示されている。本実施例の発明における発光色が異なる複数の蓄光材料には、これら公知の蓄光材料を組み合わせて用いればよい。なお、蛍光層を備える場合は、発光色が異なる複数の蛍光材料として、昼光下もしくはブラックライト下で赤色、橙色、黄色、緑色、青色など様々な発光色のものが知られていることから、これらを蛍光材料として用いればよい。
【００２４】
蓄光材料を層状に形成したものとしては、例えば、蓄光材料を基板上に直接塗布したり、液状の蓄光材料を基板上に設けた凹みに流し込んだりしたものが考えられる。あるいは、シート状の蓄光材料（蓄光シート、蓄光フィルム、蓄光テープなど）を基板上に直接貼り付けるようにしてもよい。これらの場合、蓄光層は基板上に直接的に備えらえることになる。蛍光層の場合も、同様のシート状の蛍光材料（蛍光シート、蛍光フィルム、蛍光テープなど）を用いることができる。
【００２５】
また、蓄光層は、基板上に形成される反射層の上に配置されてもよく、この場合には、蓄光層は基板上に間接的に備えられることとなる。反射層の具体的構成については後述する。このように、本実施例の発明における蓄光層は、基板上に直接的又は間接的に備えられる。
【００２６】
蓄光層は、異なる発光色の小領域に分割されている。ここで、小領域とは、蓄光層全体の領域の一部として含まれる領域をいい、例えば、蓄光層の領域を重複せずかつすき間が生じないように分割（平面細分割）した場合の各領域を指す。
【００２７】
図２は、本実施例のアクセサリにおける蓄光層の構成の一例を示す図であって、蓄光層０２０２を平面図で示したものである。本図では、蓄光層の領域が八個の小領域（小領域Ａ〜Ｈ）に細分割されている例を示した。それぞれの小領域には異なる発光色の蓄光材料が配される。その場合、すべての小領域に配される蓄光材料の発光色がすべて異なっている必要はなく、少なくとも隣接している小領域どうしの蓄光材料の発光色が異なっていればよい。図２（ａ）に示した例は、小領域Ａ０２０２ａ及び小領域Ｅ０２０２ｅ（図中黒塗りで示す）に同じ発光色の蓄光材料が配され、小領域Ｃ０２０２ｃ及び小領域Ｇ０２０２ｇ（図中灰色で示す）に同じ発光色の蓄光材料が配され、小領域Ｂ０２０２ｂ、小領域Ｄ０２０２ｄ、小領域Ｆ０２０２ｆ及び小領域Ｈ０２０２ｈ（図中白色で示す）に同じ発光色の蓄光材料が配されている例である。例えば、小領域Ａ及びＥには発光色が青色の蓄光材料、小領域Ｃ及びＧには発光色が緑色の蓄光材料、小領域Ｂ、Ｄ、Ｆ及びＨには発光色が黄色の蓄光材料がそれぞれ配されているといった具合である。
【００２８】
前出の図１（ａ）には、図２に示したような小領域に分割された蓄光層が透明な光屈折ブロック体を介して見えている状態のアクセサリの外観の一例を示した（あくまでイメージであって実際の正確な外観を示したものではない）。この図に現れているように、特定の角度から光屈折ブロック体を介して蓄光層を見た時、たとえ小領域が均等に配置されていたとしても、光屈折ブロック体の屈折効果により、発せられた光の多くが目に入る小領域と、少なく目に入る小領域とが生じる。そこで、見る角度が変化したときに視認者にとってはアクセサリの色や輝度が変化したように感じられることになる。かかる効果については改めて具体例を用いて後述する。
【００２９】
蓄光層は、典型的には、蓄光層が複数の小領域によって一つの閉じた領域をなしているもの、即ち、複数の離れた領域に分かれていない形で形成され、小領域はこの一つの領域を分割したものとなる。図２に示した例もこのような例であって、蓄光層は一つの閉じた領域である略円形の領域を占めている。このほか、蓄光層が複数の領域に分かれていてもよく、例えば、基板が桟で幾つかの凹部に仕切られた盆状のものであり、それぞれの凹部に蓄光材料が桟の頂上部が露出した形で配置される結果、蓄光層が桟によって仕切られた複数の領域に分かれて配置されているようなものであっでもよい。また、この例からもわかるように、蓄光層は基板上をすべて覆う形で配置されていなくてもよく、基板の一部に蓄光層が配置されずに露出しているようなものであってもよい。
【００３０】
以上のように蓄光層の領域を複数の小領域に分けた上で、それぞれに異なる発光色の蓄光材料を配することで、次に述べる光屈折ブロック体の構成との相乗効果として、アクセサリが僅かな揺れなどによって見る角度が多少変化するだけで、視認者の視界に入ってくる蓄光層からの光の色や輝度が変化してみえるという効果が得られる。この効果については、次の光屈折ブロック体に関する記載の中で具体的に説明する。
【００３１】
以上では、説明を簡単にするため、小領域が少数の単純な例で説明したが、実際には、小領域が多数にわたり、隣接する小領域どうしの異なる発光色の組合せが多岐にわたるものが考えられる。このような構成によれば、見る角度がほんの僅か変化するだけでも発光色が様々な組合せの色に変化して見えることとなり、本発明の効果がより顕著な形で得られることになる。
【００３２】
なお、蓄光層と蛍光層の両者を備える場合の各小領域の配置のしかたに特に限定はなく、例えば、基板上を二分する形で蓄光層と蛍光層がそれぞれまとまった一つの領域を形成するように配置してもよいし、蓄光層・蛍光層それぞれの各小領域が混在する形でそれぞれ基板上の全体に散在するように配置してもよい。
【００３３】
（光屈折ブロック体）
光屈折ブロック体は、光を屈折させる性質を有するブロック（塊）状の部材であり、蓄光層上に直接的又は間接的に配置される。光屈折ブロック体の役目は、蓄光層から光屈折ブロック体に入射する光を屈折させてその進行方向をある一定の方向に集中させることにある。これによって、そのアクセサリを視認する者（以下「視認者」という）が通例存在すると考えられる方向に多くの光を向けることができる。そこで、アクセサリの僅かな動きでも蓄光層から発せられる光がきらきらと煌めいて見えるという効果が顕著に現れるようにすることができる。
【００３４】
このような光屈折ブロック体の役目から当然のこととして、光屈折ブロック体の材料には光透過性を有する材料が用いられる。具体的には例えば、透明ガラス、透明シリコーン樹脂などの透明樹脂、透明セラミックなどが用いられる。ここで透明とは、無色透明であっても有色透明であってもよい。また、一つの光屈折ブロック体の一部が無色透明で他の部分が有色透明であってもよいし、有色透明部分の色に異なる複数の色が含まれていてもよい。このようにすれば、光屈折ブロック体の色の有無や色の種類と、上述した蓄光層の領域の複数の発光色とを複雑に組み合わせることが可能となるので、発する光が微妙に色や輝度を変化させてキラキラと煌めいているように見えるという本発明の効果をより顕著に奏することが可能となる。
【００３５】
なお、光屈折ブロック体の副次的な役目として、蓄光層の損傷・劣化や汚れを防止するという役目も考えられる。
【００３６】
光屈折ブロック体の形状は光を屈折させる形状であればその具体的形状に特に限定はなく、例えば図１に示したような略半球形状のほか、角錐形状、円錐台形状あるいは角錐台形状のものや、具象をデザインした形状のものなどが考えられる。多くの場合、光屈折ブロック体の下面の形状は蓄光層の形状に合わせたものとなり、これにより蓄光層と光屈折ブロック体の間にすき間が生じないようにして、光が減衰しないようにすることが考えられる。
【００３７】
光屈折ブロック体の蓄光層上への配置が直接的又は間接的になされるという意味は、蓄光層の基板上への配置が直接的又は間接的になされるというのと同様である。前出の図１の例は、光屈折ブロック体の蓄光層上への配置が直接的になされている例である。この場合、例えば、光屈折ブロック体は、基板の周縁部に設けられた爪状部分によって係止され、当該光屈折ブロック体と基板の間に蓄光層が直接挟み込まれる形で固定される。前出の図１（ｂ）にも、光屈折ブロック体がかかる爪状部分０１０１ａによって係止されている状態を示した。
【００３８】
一方、光屈折ブロック体が蓄光層上への配置が、間接的になされる場合の例としては、蓄光層上に両面粘着テープを貼り、さらにその上に光屈折ブロック体を圧着させて固定するという構造が考えられる。この場合、両面粘着テープは、蓄光層から光屈折ブロック体への光の入射を減衰させたりすることがないよう、難接着素材に対する密着性に優れ、透光性にも優れたものであることが望ましい。かかる好適な両面粘着テープとして、例えば住友スリーエム株式会社製のシリコーン系両面粘着テープ９６０４２を用いることができる。
【００３９】
図３は、本実施例のアクセサリの構成の別の一例を示す図であって、光屈折ブロック体が両面粘着テープを介して基板上に間接的に配置されている例である。本図におけるアクセサリ０３００は、基板０３０１上に配置された蓄光層０３０２の上に両面粘着テープ０３０４が貼付され、さらにその上に光屈折ブロック体０３０３が当該両面粘着テープに圧着させられる形で配置されている。この場合、蓄光層と両面粘着テープの間にはすき間があると蓄光層からの光が減衰されてしまうおそれがあるので、このようなすき間が生じないようにすることが望ましい。また、同様の理由から、両面粘着テープと光屈折ブロック体との間にもすき間が生じないようにすることが望ましい。
【００４０】
（蓄光層と光屈折ブロック体の構成の有機的結合による効果）
次に、以上に説明したような蓄光層と光屈折ブロック体の構成の有機的結合による相乗効果として、アクセサリを見る角度が多少変化するだけで、視認者の視界に入ってくる蓄光層からの光の色や輝度が変化してみえるという効果が得られることについて、具体的に説明する。
【００４１】
図４は、蓄光層と光屈折ブロック体の構成による相乗効果について説明するため図である。本図は、アクセサリのうち、蓄光層０４０２とその上に備えられている光屈折ブロック体０４０３を示したものであり、蓄光層には、小領域Ｉ０４０２ｉと小領域Ｊ０４０２ｊを含むいくつかの小領域が配置されている例を示したものである。ここでは、説明を簡単にするために、互いに異なる発光色を有する小領域Ｉ０４０２ｉ、小領域Ｊ０４０２ｊのそれぞれから発せられた光だけを考え、他の小領域から発せられる光についは考慮しないこととする。ここで、本図において小領域Ｉの発光色は緑色であり、小領域Ｊの発光色は黄色であるとする。
【００４２】
本図において、小領域Ｉから発せられた光の多くは、光屈折ブロック体内を上に向かって進み、光屈折ブロック体の持つ屈折効果によって概ね矢印Ａ方向に向かう。また、小領域Ｊから発せられた光の多くは、光屈折ブロック体内を上に向かって進み、光屈折ブロック体の持つ屈折効果によって概ね矢印Ｂ方向に向かう。そこで、仮に視認者の目が図で示した矢印Ａの先端付近の位置にあるとすると、視認者にとっては、小領域Ｉから発せられた光（緑色）の方が小領域Ｊから発せられた光（黄色）よりも相対的に多く目に入ってくることとなる。そこで、視認者には全体として光の色はより緑色に近い黄緑色（濃い黄緑色）に感じられることになる。次に、アクセサリが揺れるなどして視認者の見る角度が代わり、図で示した矢印Ｂの先端付近の位置に視認者の目がある状態に変化した（視認者の目の絶対的な位置に変化はないがアクセサリの角度が変化したためにアクセサリとの位置関係が相対的に変化した）とすると、視認者にとっては、小領域Ｊから発せられた光（黄色）の方が小領域Ｉから発せられた光（緑色）よりも相対的に多く目に入ってくることとなる。そこで、視認者には全体として光の色はより黄色に近い黄緑色（淡い黄緑色）に感じられることになる。このようにして、視認者にとって見る角度により蓄光層の発光色が変化して見えることとなる。また、見る角度によって光屈折ブロック体内での反射や減衰による影響を受ける度合いも異なるため、見る角度が変化した場合には、視認者には蓄光層から発せられる光の輝度も変化したように感じられることとなる。
【００４３】
実際には、小領域Ｉ及び小領域Ｊ以外の小領域から発せられた光も視認者の目に入るので、見る角度による光の色や輝度の変化は上の説明のように単純なものではないが、他の小領域からの発光による効果が加わった場合も考え方は同じであり、しかも他の小領域からの発光による効果が加わることでますます色や輝度の変化が複雑に現れることとなるので、光がキラキラと煌めいて見えるという効果は一層顕著なものになると考えられる。
【００４４】
このような効果は、蓄光層の構成と光屈折ブロック体の構成の相乗効果として初めて得られるものであって、一方のみの構成では得るのは困難である。例えば、蓄光層が異なる発光色の小領域に分割されておらず単色の発光色を有するにとどまるものであれば、仮に見る方向が変わった場合に、光屈折ブロック体の屈折効果によってより多く目に入ってくる光を発している蓄光層の部分が移動したとしても、見える発光色には変化は生じず、多少輝度に変化が生じる程度にとどまるものとなる。また、蓄光層が異なる発光色の小領域に分割されていても、光屈折ブロック体が備えられていなければ、仮に見る方向が変わっても視認者の目に入ってくる光の色・輝度ともにもほとんど変化は生じないものとなる。
【００４５】
さらに、本発明に係るアクセサリを実際に事業化する場合には、本図のような単純な構成ものではなく、多数の小領域を蓄光層に設け、隣接する小領域どうしの異なる発光色の組合せが多岐にわたるものとすることが考えられる。さらに光屈折ブロック体についても、表面の形状を複雑なものにすることで光の進行方向がより多岐にわたるようにすることが考えられる。このような構成によれば、アクセサリが僅かに揺れるなどして視認者の見る角度がごく僅か変化するだけでも、視認者にとっては光の色や輝度が微妙に変化したように感じられ、その僅かな揺れが続けば、視認者にとってはその間光の色や輝度が微妙に変化し続け、キラキラと煌めき続けているように見えるという効果が期待できる。従って、本発明の効果をより顕著な形で得ることが可能になると考えられる。
【００４６】
（反射層）
基板上に蓄光層を間接的に配置する例として、基板上に反射層を形成し、当該反射層の上に蓄光層を備えるようにしてもよい。反射層は、光を反射させる性質を有する材料である反射材料を層状に形成したものである。形成する方法としては、反射材料を塗布する方法や、液状の反射材料を流し込む方法、シート状の素材を貼り付ける方法などを用いることができる。反射材料としては、例えば反射特性に優れた酸化チタンが用いられる。反射層を蓄光層の下に配置することで、蓄光層から下方向に発せられる光が反射層によって上方向に反射され、蓄光層の上方向に対する発光輝度を高めることができるという効果がある。
【００４７】
＜効果＞
本実施例の発明により、蓄光層及び／又は蛍光層を備えることで、大掛かりな装置を用いることなしに、見る角度の変化に伴い、発する光が微妙に色や輝度を変化させてキラキラと煌めいているように見え、これにより高級感や優雅な感じを醸し出すことができるアクセサリを提供することが可能となる。
【実施例２】
【００４８】
＜概要＞
本実施例のアクセサリは、蓄光層及び／又は蛍光層の複数の小領域のうち少なくとも互いに隣接する小領域どうしが異なる傾斜を有する傾斜面で構成されており、これにより見る角度によって見える斜面と見えない斜面が変化することで発光色が変化して見えるように構成されているものである。
【００４９】
＜構成＞
（全般）
本実施例のアクセサリは、実施例１で述べたものと基本的に共通するが、本実施例では、蓄光層及び／又は蛍光層の複数の小領域において少なくとも互いに隣接する小領域どうしが異なる傾斜を有する傾斜面で構成され、見る角度によって見える斜面と見えない斜面が変化することで発光色が変化して見えるように構成されていることを特徴とするものである。以下、蓄光層及び／又は蛍光層の構成について、蓄光層の例で説明する。その余の構成は実施例１のアクセサリと同様であるので、説明を省略する。
【００５０】
（蓄光層：傾斜面）
本実施例のアクセサリにおける蓄光層は、その複数の小領域において少なくとも互いに隣接する小領域どうしが異なる傾斜を有する傾斜面で構成される。
【００５１】
図５は、本実施例のアクセサリにおける蓄光層の構成の一例を示す図である。本図の蓄光層０５０２においては、互いに隣接する小領域である小領域Ｋ０５０２ｋと小領域Ｌ０５０２ｌどうしは異なる傾斜を有する傾斜面で構成されている。同様に、他の小領域Ｍ０５０２ｍ〜小領域Ｒ０５０２ｒについても互いに隣接する小領域どうしは異なる傾斜を有する傾斜面で構成されている。「少なくとも」というのは、すべての小領域がすべて異なる傾斜を有するものでなくてもよいという意味であり、隣接していない小領域どうしの中に同じ傾斜のものがあっても構わない。本図でも、互いに隣接していない小領域Ｋと小領域Ｍは同じ傾斜を有している例を示している。同様に、小領域Ｌと小領域Ｎ０５０２ｎと小領域Ｐ０５０２ｐと小領域Ｒ、また、小領域Ｏ０５０２ｏと小領域Ｑ０５０２ｑは、それぞれ同じ傾斜を有している例を示している。
【００５２】
次に、本実施例のアクセサリについて、見る角度が多少変化するだけで視認者の視界に入ってくる蓄光層からの光の色や輝度が変化してみえるという効果が得られることについて、本図を参照しつつ説明する。
【００５３】
本図において、小領域Ｋと小領域Ｍの発光色は緑色であり、小領域Ｌと小領域Ｎの発光色は黄色であるとする。ここで、小領域Ｋから発せられた光の多くは、光屈折ブロック体内を同小領域の平面に垂直な上方向に向かって進み、光屈折ブロック体の持つ屈折効果によって概ね矢印Ｃ１方向に向かう。同様のメカニズムにより、小領域Ｍから発せられた光の多くは、概ね矢印Ｃ２方向に向かう。本図の例では、矢印Ｃ１方向と矢印Ｃ２方向はほぼ同一方向であり、両矢印の先端はほぼ同様の位置にある。同様に、小領域Ｌから発せられた光の多くは、概ね矢印Ｄ１方向に向かい、小領域Ｎから発せられた光の多くは、概ね矢印Ｄ２方向に向かう。矢印Ｄ１方向と矢印Ｄ２方向はほぼ同一方向であり、両矢印の先端はほぼ同様の位置にある。
【００５４】
仮に視認者の目が矢印Ｃ１・Ｃ２の先端付近に位置しているとすると、視認者にとっては、小領域Ｋ、Ｍから発せられた光（緑色）の方が小領域Ｌ、Ｎから発せられた光（黄色）よりも相対的に多く目に入ってくることとなる。そこで、視認者には全体として光の色はより緑色に近い黄緑色（濃い黄緑色）に感じられることになる。次に、アクセサリが揺れるなどして視認者の見る角度が代わり、視認者の目が矢印Ｄ１・Ｄ２の先端付近に位置している状態に変化したとすると、視認者にとっては、小領域Ｌ、Ｎから発せられた光（黄色）の方が小領域Ｋ、Ｍから発せられた光（緑色）よりも相対的に多く目に入ってくることとなる。そこで、視認者には全体として光の色はより黄色に近い黄緑色（淡い黄緑色）に感じられることになる。このようにして、視認者にとって見る角度により蓄光層の発光色が変化して見えることとなる。また、見る角度によって光屈折ブロック体内での反射や減衰による影響を受ける度合いも異なるため、見る角度が変化した場合には、視認者には蓄光層から発せられる光の輝度も変化したように感じられることとなる。
【００５５】
このように、本実施例では、傾斜面を利用することで、見る角度によって見える斜面と見えない斜面が変化することとなる。ここで「見える斜面」というのは、上述のように、視認者の目に入ってくる光のうち主に入ってくる光を発している小領域を構成する傾斜面をいう。同様に、「見えない斜面」というのは、視認者の目に主に入ってくる光を発している小領域を構成する傾斜面以外の傾斜面をいう。従って、「見えない斜面」といっても、必ずしもその斜面からの光が全く入ってこないという意味ではない。
【００５６】
以上のように構成すれば、ある角度の時に同時に見える斜面に同色系の発光色の小領域を複数配置し、この時見えない斜面に他の同色系の発光色の小領域を複数配置することで、見る角度が変化したときに、発光色が大きく変化して見え、見る角度の変化により光の色や輝度が変化して見えるという本発明の効果をさらに際立ったものとすることが可能となる。図５の例では、視認者の見る角度がＣ方向からＤ方向に僅かに変化しただけで、発光色が濃い黄緑色から淡い黄緑色に大きく変化したように見え、実施例１において図４を用いて説明した例以上に、色の変化が際立って現れることとなる。
【００５７】
なお、実際の例は上のように単純ではないものが想定されるが考え方は同じである点は、実施例１において図４を用いて説明したところと同様であり、むしろ他の小領域からの発光による効果が加わることで、光がキラキラと煌めいて見えるという効果が一層顕著なものになると考えられる点なども同様である。
【００５８】
＜効果＞
本実施例の発明により、見る角度の変化に伴い、発する光が微妙に色や輝度を変化させてキラキラと煌めいているように見え、これにより高級感や優雅な感じを醸し出すことができるという効果を、さらに際立ったものとすることが可能となる。
【実施例３】
【００５９】
＜概要＞
本実施例のアクセサリは、光屈折ブロック体が基板上に立設された回転軸に設置され、蓄光層及び／又は蛍光層に対して相対的に回転自在になっている点に特徴があるものである。
【００６０】
＜構成＞
（全般）
本実施例におけるアクセサリは、実施例１又は２のアクセサリと基本的に共通するが、本実施例では、光屈折ブロック体は、基板上に立設された回転軸に設置されており、蓄光層及び／又は蛍光層に対して相対的に回転自在に構成されている。以下、光屈折ブロック体の構成について説明する。その余の構成は、実施例１又は２において説明したところと同様であるので、説明を省略する。
【００６１】
（光屈折ブロック体）
図６は、本実施例のアクセサリにおける光屈折ブロック体の構成の一例を示す図である。図６（ａ）に示すように、本実施例のアクセサリの光屈折ブロック体０６０３は、例えば、略半球体の一部に切り欠いた平面０６０３ａを有する形状をしているものが考えられる。そして、図６（ｂ）に示すように、この光屈折ブロック体は、基板０６０１上に立設された回転軸０６０５に設置されており、蓄光層０６０２に対して相対的に回転自在に設置されている。なお、回転軸は例えば金属などの棒状部材をネジ止めなどによって基板に固定すればよい。
【００６２】
このように構成する目的は、アクセサリ自体が揺れなどによって動いておらず、かつ視認者の視認位置が変わらない場合であっても、光屈折ブロック体が回転することで同一の小領域からの発光の光屈折ブロック体における透過部分が移動して変化するため、色や輝度が異なって見える効果を生むことにある。従って、光屈折ブロック体の回転軸への設置は、アクセサリが揺れるほどではない振動でも回転しやすいような程度になされていることが望ましい。
【００６３】
光屈折ブロック体が無色透明や、均一な有色の透明のものである場合は、光屈折ブロック体が回転しても蓄光層との相対関係は実質的に変化しないため、回転による色の変化の効果は通例は得ることができない。従って、この場合は、光屈折ブロック体は、半球体形状、円柱形状、円錐形状などのように回転軸を中心に回転させても同一切断線の断面図に現れる形状が全く変化しないものは適さず、図６（ａ）に一例を示したような、回転軸を中心に回転させると断面形状が変化するものが望ましい。
【００６４】
図６において、（ｂ）は（ａ）のＸ１−Ｘ１断面図であり、（ｃ）は（ａ）のＸ２−Ｘ２断面図である。（ｂ）に示す状態では、蓄光層の小領域Ｓ０６０２ｓから発せられた光（赤色とする）は、光屈折ブロック体の表面が球面形状の部分を介して出射されるため、その屈折効果により矢印Ａ方向に向かう。一方、蓄光層の小領域Ｔ０６０２ｔから発せられた光（青色とする）は、矢印Ｃ方向に向かう。次に、（ｃ）に示す状態は、光屈折ブロック体が（ｂ）の状態から蓄光層に対して相対的に回転して、（ｂ）と同じ蓄光層上の位置にＸ２−Ｘ２断面図が現れる状態に変化したものである。この状態では、蓄光層の小領域Ｓから発せられた光は、光屈折ブロック体の表面が平面形状の部分（切欠き部分）を介して出射されるため、その屈折効果により矢印Ａ方向とは異なる矢印Ｄ方向に向かう。一方、蓄光層の小領域Ｔから発せられた光は矢印Ａ´方向に向かう。
【００６５】
本図の例では、視認者の目の位置が（ｂ）に示す矢印Ａの先端の位置にあるとした場合、その位置は、（ｃ）に示す矢印Ａ´の位置とほぼ同位置となる。そこで、視認者の目の位置が変わらず（即ち、見る角度が変化せず）、かつ、アクセサリの向きが変化しない場合であっても、視認者の目により多く入ってくる小領域からの発光は、（ｂ）の状態における小領域Ｗの発光（赤色）から、（ｃ）の状態における小領域Ｚの発光（青色）へと変化することになる。そこで、視認者にとっては、目に入ってくる光の赤味が薄れ、青味が増したように感じられることとなる。また、屈折効果の違いにより輝度も変化したように感じられることとなる。
【００６６】
以上では、光屈折ブロック体が無色透明や、均一な有色の透明のものである場合を念頭に置いて説明した。一方、光屈折ブロック体が無色透明部分と有色透明部分の両方を備えていたり、すべて有色透明であってもその色彩や透明度に違いやムラがあったりする場合には、光屈折ブロック体は、半球体形状のように回転軸を中心に回転させた時に断面形状が全く変化しないものであってもよい。また、無色透明や均一な有色透明のものであっても、異なる材質のものを組み合わせたものであれば、回転させた時に材質の違いによる屈折率や光透過性の変化が現れることが考えられるため、やはり半球体形状のような形状であっても差し支えない。
【００６７】
なお、蓄光層と光屈折ブロック体が合同の形状をしており、蓄光層上に光屈折ブロックが完全に重なり合うように配置されている場合、光屈折ブロック体が蓄光層に対して相対的に回転した場合、蓄光層及び光屈折ブロック体の平面図で見た形状が円形であればどのような角度になっても両者が完全に重なり合った状態が維持されるのに対し、それ以外の形状の場合には両者にずれが生じ、蓄光層のある部分の上には光屈折ブロック体が配置されていないといった状態が出現する。しかし、本発明のアクセサリは、発光における色や輝度の変化を楽しむことに主眼があるものなので、形状の変化自体が美観を妨げる要素となることはあまり考えられない。特に、暗闇やほぼ暗闇での発光の場合は、形状の変化自体が視認者に認識されることはほとんどないので、形状の変化が美観を損なうおそれはほとんどないと考えられる。
【００６８】
＜効果＞
本実施例の発明により、見る角度が変化しなくても、発する光が微妙に色や輝度を変化させてキラキラと煌めいているように見え、これにより高級感や優雅な感じを醸し出すことができるという効果を得ることが可能となる。
【実施例４】
【００６９】
＜概要＞
本実施例のアクセサリは、光屈折ブロック体が多面体カット構造を有するものである。
【００７０】
＜構成＞
本実施例のアクセサリは、実施例１から実施例３のいずれか一で述べたアクセサリと基本的に共通する。ただし、本実施例のアクセサリは、光屈折ブロック体が多面体カット構造を有するものである。
【００７１】
多面体カット構造は、宝石などのカット構造として広く知られているものであり、宝石などを多面体の形状にカットするものである。例えば、十二面体カット、二十面体カット、五十八面体カット（ブリリアントカットなど）、八十六面体カットなどが挙げられる。多面体カット構造の宝石は、一般に、入射された光が内部で複雑な反射や屈折を繰り返すことでプリズム効果が生まれ、出射される光が虹のような色になるとともに、見る角度によって輝度が微妙に変化し、キラキラと煌めいて見えるという効果などがあると言われている。宝石のカット構造は、主に上側（表面側）から入射される光に対する反射や屈折を念頭に置いたものであるが、本発明のように光屈折体の下側（裏面側）から入射される光についても、同様に光が内部で複雑な反射や屈折を繰り返すような構造になっているといえることから、光屈折ブロック体を多面体カット構造とすることで、見る角度の変化による光の色や輝度の変化がさらに複雑なものとなり、キラキラと煌めいているように見えるという効果をさらに顕著なものにするという効果を得ることが期待できる。
【００７２】
図７は、本実施例のアクセサリの構成の一例を示す図であって、図１（ｂ）と同様に垂直断面図で示したものである。本図におけるアクセサリ０７００の光屈折ブロック体０７０３は、多面体カット構造の一例であるブリリアントカット構造をイメージして描いたものである（あくまでイメージを示したものであるので、正確な形状を表したものではない）また、当該光屈折ブロック体は、その下面の形状に合わせた形状の蓄光層０７０２上に備えられており、さらに、当該蓄光層は、その形状に合わせた形状の基板０７０１上に備えられている。
【００７３】
本図において、例えば蓄光層の小領域Ｕ０７０２ｕから発せられた光は、光屈折ブロック体の下側側面から入射されると、一部の光は光屈折ブロック体の最上面や上部側面に直接到達して出射される。また、一部の光は光屈折ブロック体の下部側面に到達し、反射して上部側面から出射される。このとき反射する位置に配置されている小領域からも発光されているので、光が混じり合ってより複雑な色合いを呈することとなる。また、例えば小領域Ｖ０７０２ｖから発せられた光は、光屈折ブロック体の最下面から入射されると、ほぼすべての光が最上面などに直接到達して出射される。本図では煩雑を避けるため図示を省略したが、実際には、すべの小領域から発せられる様々な発光色の光が光屈折ブロック体の内部で複雑な反射や屈折を繰り返し、最終的に光屈折ブロック体の最上面や上部側面から様々な方向に出射されることとなる。そこで、視認者は、アクセサリが僅かに揺れるなどして見る角度が僅かに変化しただけでも、光の色や輝度が微妙に変化してキラキラと煌めいて見えるという効果をより顕著な形で楽しむことができる。
【００７４】
＜効果＞
本実施例の発明により、蓄光層から発せられた光が光屈折ブロック体の内部で複雑な反射や屈折を繰り返すことで、見る角度の変化による光の色や輝度の変化がさらに複雑なものとなり、キラキラと煌めいているように見えるという効果をさらに顕著なものにすることが可能となる。
【実施例５】
【００７５】
＜概要＞
本実施例のアクセサリは、蓄光層及び／又は蛍光層と光屈折ブロック体とが基板の両面に配置されているものである。
【００７６】
＜構成＞
本実施例のアクセサリは、実施例１から４までで説明したアクセサリと基本的に共通する。ただし、本実施例のアクセサリは、蓄光層及び／又は蛍光層と光屈折ブロック体とが、基板の両面に配置されているものである。以下、かかるアクセサリの構成について説明する。
【００７７】
図８は、本実施例のアクセサリの構成の一例を示す図である。本図（ａ）に示すように、本実施例のアクセサリ０８００は、蓄光層０８０２ａ、０８０２ｂと光屈折ブロック体０８０３ａ、０８０３ｂが、基板０８０１の両面に配置されている。基板と蓄光層の配置関係及び蓄光層と光屈折ブロック体の配置関係は、実施例１で説明したところと同様である。つまり、本実施例のアクセサリは、実施例１で説明したアクセサリを基板を中心として両側に貼り合わせたような構成のものである（ただし、本図にも示されているように基板は一つでよい）。
【００７８】
本実施例のアクセサリは、両面側から視認される可能性の高いアクセサリに適するように構成されたものである。この点例えば、指輪、ペンダント、ブローチなどのように主にアクセサリの上面側（前面側）といった一方側から視認される可能性しかないものは、基板の一方の側に蓄光層及び光屈折ブロック体を備えていれば足りる。これに対し、イヤリング、携帯ストラップなどのように、アクセサリの上下（前後）両方向など広い角度から視認される可能性のあるものは、本実施例のように構成することにより、どちらの方向から視認してもアクセサリからの発光が目に入り、見る角度の変化に伴い発する光が微妙に色や輝度を変化させてキラキラと煌めいているように見えるという効果を楽しむことができる。
【００７９】
また、例えば、両側に半球形状の光屈折ブロック体を備えた全体として球形状のアクセサリとし、これを複数連結することで、ネックレスやブレスレットなどとして利用することも可能である。例えば図８（ｂ）に示すように、基板に貫通穴０８０６を設け、そこに糸０８０６や鎖などを通して複数個のアクセサリを連結したものが考えられる。
【００８０】
本実施例のアクセサリも、上述の各実施例で説明したような、蓄光層の少なくとも互いに隣接する小領域どうしが異なる傾斜を有する傾斜面で構成されているものや、光屈折ブロック体が基板上に立設された回転軸に設置されて蓄光層に対して相対的に回転自在に構成されているもの、あるいは光屈折ブロック体が多面体カット構造を有するといった特徴の一つ以上を備えたものとすることができる。
【００８１】
なお、以上に説明したものとは異なるが、基板の側面が露出することでアクセサリの中央部分に発光しない基板の側面が露出しないように、基板側面にも蓄光層を備えるようにしてもよい。
【００８２】
＜効果＞
本実施例の発明により、いずれの側からから視認した場合であっても、見る角度の変化に伴い発する光が微妙に色や輝度を変化させてキラキラと煌めいているように見えるという効果を奏することが可能なアクセサリを得ることができる。
【図１】
2017086334.tif 000003
【図２】
2017086334.tif 000004
【図３】
2017086334.tif 000005
【図４】
2017086334.tif 000006
【図５】
2017086334.tif 000007
【図６】
2017086334.tif 000008
【図７】
2017086334.tif 000009
【図８】
2017086334.tif 000010